(57)【要約】      （修正有）【課題】コンプレッサーが設置された工場等で消費される電力を低減すること。【解決手段】本発明では、コンプレッサー（３）を冷却するための空気を排出する排気口とその排気口に連通させた排気ダクト（５）との間に装着する空調アダプター（１）において、排気口から排出させる空気を排気ダクト（５）へ送るアダプター本体に、排気口から排出される空気の一部を室内に供給する供給口を設けるとともに、供給口から室内に供給する空気の量を調整するための調整板を回動自在に設けることにした。また、本発明では、前記調整板を前記室内の温度に応じて回動させるための回動機構を設けることにした。さらに、本発明では、前記調整板の前記排気口と面する側にフィルターを着脱自在に設けることにした。【選択図】図１
2020133420.tif 000002
【特許請求の範囲】
【請求項１】
コンプレッサーを冷却するための空気を排出する排気口とその排気口に連通させた排気ダクトとの間に装着する空調アダプターであって、
排気口から排出させる空気を排気ダクトへ送るアダプター本体に、排気口から排出される空気の一部を室内に供給する供給口を設けるとともに、供給口から室内に供給する空気の量を調整するための調整板を回動自在に設けたことを特徴とする空調アダプター。
【請求項２】
前記調整板を前記室内の温度に応じて回動させるための回動機構を設けたことを特徴とする請求項１に記載の空調アダプター。
【請求項３】
前記調整板の前記排気口と面する側にフィルターを着脱自在に設けたことを特徴とする請求項１又は請求項２に記載の空調アダプター。
【発明の詳細な説明】
【技術分野】
【０００１】
本発明は、コンプレッサーを冷却するための空気を排出する排気口とその排気口に連通させた排気ダクトとの間に装着する空調アダプターに関するものである。
【背景技術】
【０００２】
従来より、工場等の建屋内において駆動源等としてコンプレッサーが広く利用されている。
【０００３】
このコンプレッサーは、圧縮動作時に高温の熱を発生させるために、空気を利用して冷却する必要がある。そのため、建屋内に載置されるコンプレッサーとしては、圧縮動作を行う本体を筐体で囲み、筐体に冷却用の空気を吸入するための吸気口と本体を冷却した空気を排出するための排気口とを設けた、いわゆるパッケージ型のコンプレッサーを構成したものが知られている（たとえば、特許文献１参照）。
【先行技術文献】
【特許文献】
【０００４】
【特許文献１】特開２００９−２５７１１８号公報
【発明の概要】
【発明が解決しようとする課題】
【０００５】
上記従来のコンプレッサーは、吸気口と排気口とを建屋内に設けた内外に連通するダクトにそれぞれ接続して使用され、建屋の外部の空気をダクトを介して吸気口から吸入して本体の冷却を行い、冷却後の空気を排気口からダクトを介して建屋の外部に排出するようにしている。
【０００６】
一方、工場等の建屋内では、作業環境を向上させるために、空調機器を用いて室温を一定に保持したり換気を行っている。
【０００７】
そのため、コンプレッサーを使用する工場等では、コンプレッサーを駆動するための電力と空調機器を駆動するための電力が同時に必要となり、多大な消費電力を要していた。
【課題を解決するための手段】
【０００８】
そこで、請求項１に係る本発明では、コンプレッサーを冷却するための空気を排出する排気口とその排気口に連通させた排気ダクトとの間に装着する空調アダプターであって、排気口から排出させる空気を排気ダクトへ送るアダプター本体に、排気口から排出される空気の一部を室内に供給する供給口を設けるとともに、供給口から室内に供給する空気の量を調整するための調整板を回動自在に設けることにした。
【０００９】
また、請求項２に係る本発明では、前記請求項１に係る本発明において、前記調整板を前記室内の温度に応じて回動させるための回動機構を設けることにした。
【００１０】
また、請求項３に係る本発明では、前記請求項１又は請求項２に係る本発明において、前記調整板の前記排気口と面する側にフィルターを着脱自在に設けることにした。
【発明の効果】
【００１１】
そして、本発明では、以下に記載する効果を奏する。
【００１２】
すなわち、本発明では、コンプレッサーを冷却するための空気を排出する排気口とその排気口に連通させた排気ダクトとの間に装着する空調アダプターであって、排気口から排出させる空気を排気ダクトへ送るアダプター本体に、排気口から排出される空気の一部を室内に供給する供給口を設けるとともに、供給口から室内に供給する空気の量を調整するための調整板を回動自在に設けることにしているために、コンプレッサーを冷却することによって加温された空気を室内に供給することができ、室内温度の調整や換気のために有効利用することができ、室内に設けられた空調機器の負荷を軽減することができるので、工場等で消費される電力を低減することができる。
【００１３】
特に、調整板を室内の温度に応じて回動させるための回動機構を設けた場合には、工場等の室内の温度環境を良好な状態に保持することができる。
【００１４】
また、調整板の排気口と面する側にフィルターを着脱自在に設けた場合には、室内に供給される空気をフィルターで浄化することができ、室内の環境を良好な状態に保持することができる。
【図面の簡単な説明】
【００１５】
【図１】本発明に係る空調アダプターを設置した建屋内部を示す説明図。
【図２】空調アダプターを示す正面図。
【図３】同側面断面図。
【図４】同平面断面図。
【発明を実施するための形態】
【００１６】
以下に、本発明に係る空調アダプターの具体的な構成について図面を参照しながら説明する。
【００１７】
図１に示すように、空調アダプター１は、工場等の建屋２の内部に設置された主にパッケージ型のコンプレッサー３に着脱自在に装着されて使用される。
【００１８】
建屋２には、コンプレッサー３を冷却する空気を吸入するための吸気ダクト４と、コンプレッサー３を冷却した空気（圧縮動作時に発熱したコンプレッサー３を冷却することによって加温された空気）を排出するための排気ダクト５とが設けられている。
【００１９】
吸気ダクト４は、下端部がコンプレッサー３の側面に設けられた吸気口に接続され、上端部が建屋２の天井６の近傍に配置されている。なお、吸気ダクト４は、上端部を建屋２の外部に連通させてもよく、また、室内外の温度に応じて室内外いずれかの空気を吸入できるようにしてもよい。
【００２０】
排気ダクト５は、下端部がコンプレッサー３の上面に設けられた排気口に空調アダプター１を介して接続され、上端部が建屋２の側壁７に設置され、側壁７において建屋２の内部と外部とを連通している。
【００２１】
このように、空調アダプター１は、コンプレッサー３を冷却するための空気を排出する排気口とその排気口に連通させた排気ダクト５との間に着脱自在に装着される。
【００２２】
空調アダプター１は、図２〜図４に示すように、中空矩形箱型状のアダプター本体８と、傾斜角度を可変とするために回動可能とした調整板９と、調整板９を回動させる回動機構10と、回動機構10を制御する制御器11とで構成している。
【００２３】
アダプター本体８は、下端部にコンプレッサー３の排気口よりも広い開口面積を有する吸入開口12を形成するとともに、上端部に吸入開口12と同じ開口面積の排出開口13を形成し、吸入開口12から排出開口13までを同じ開口面積の断面を有する筒状に形成している。また、アダプター本体８は、前側部に吸入開口12よりも広い開口面積を有する供給口14を形成している。
【００２４】
アダプター本体８の吸入開口12の周縁には、フランジ15が形成されており、このフランジ15を利用してコンプレッサー３の排気口の周囲を覆った状態でコンプレッサー３の上面にアダプター本体８の下端部を着脱自在に装着できるようにしている。
【００２５】
アダプター本体８の排出開口13の周縁には、フランジ16が形成されており、このフランジ16を利用して排気ダクト５の下端部にアダプター本体８の上端部を着脱自在に装着できるようにしている。
【００２６】
アダプター本体８の供給口14には、矩形薄板状の調整板９が開閉可能に設けられている。
【００２７】
調整板９は、上端部をアダプター本体８の供給口14の内側に左右一対の蝶番17,17を介して取付けている。これにより、調整板９は、上端部を支点としてアダプター本体８の供給口14から後方へ向けて回動するようになっており、回動によって調整板９の傾斜角度を変更できるようにしている。
【００２８】
調整板９には、フィルター18が保持具19を介して着脱自在に装着されている。フィルター18は、調整板９の前側、すなわち、傾斜した状態においてコンプレッサー３の排気口と面する側（対向する側）に取付けられ、保持具19によって調整板９の前側面から所定（一定）の間隔をあけて取付けられている。
【００２９】
この調整板９は、回動によって傾斜角度が変更でき、それに伴って、アダプター本体８と調整板９との間（内側の隙間）によって形成される吸入開口12と排出開口13との間を連通させるための連通開口20の開口面積を変更できるようになっている。そのため、調整板９には、回動機構10が接続されている。
【００３０】
回動機構10は、アダプター本体８の後側にシリンダー21を取付けるとともに、シリンダー21の進退ロッド22にワイヤー23の基端を取付け、ワイヤー23の先端を調整板９の裏面に取付けている。ワイヤー23は、アダプター本体８の後側に形成した貫通孔24を介してアダプター本体８に挿通されており、アダプター本体８の後側に設けたプーリー25を介して張設されている。
【００３１】
これにより、回動機構10は、シリンダー21によって調整板９を自動的に回動（開閉）させることができるようになっている。なお、回動機構10は、調整板９を回動させるとともに、その状態（回動した状態）で調整板９を保持できるように構成されていればよく、調整板９を自動的に回動させる構成に限られず、手動で調整板９を回動させるとともに、その回動角を保持できるような構成としてもよい。
【００３２】
自動的に調整板９を回動させるために、回動機構10には、制御器11が接続され、制御器11で制御されるようになっている。
【００３３】
制御器11は、アダプター本体８の側部に取付けられており、回動機構10のシリンダー21の他に、室内の温度を計測するための温度センサー26と、空調アダプター１（アダプター本体８）の内部の温度を計測するための温度センサー27とが接続されている。なお、室内の温度を計測する温度センサー26は、複数個用いて室内の平均的な温度や温度差を計測できるようにしてもよい。また、空調アダプター１の内部の温度を計測する温度センサー27は、吸入開口12から排出開口13へと直接的に流れる連通開口20を通過する空気（調整板９との衝突によって流れが乱されていない空気）の温度を計測する。
【００３４】
この制御器11は、温度センサー26で計測した室内の温度に応じて、回動機構10を制御して、調整板９を回動させるように制御する。その際に、温度センサー27で計測したコンプレッサー３から排出される空気の温度を参照し、室内の温度との温度差に応じて制御することもできる。たとえば、制御器11は、コンプレッサー３から排出される空気の温度と室内の温度との温度差に比例した傾斜角度となるように調整板９を回動させることができる。
【００３５】
空調アダプター１は、以上に説明したように構成している。そして、コンプレッサー３の排気口から排出された空気は、アダプター本体８を通って吸入開口12から排出開口13へと流れて排気ダクト５へと送られるが、その空気の一部は、調整板９によって向き（流れる方向）が変えられて供給口14から室内に供給される。その際に、空調アダプター１が制御器11によって回動機構10を制御して調整板９を回動させると、供給口14から室内に供給する空気の量を調整することができる。
【００３６】
以上に説明したように、上記空調アダプター１は、コンプレッサー３を冷却するための空気を排出する排気口とその排気口に連通させた排気ダクト５との間に装着されるものであり、排気口から排出させる空気を排気ダクト５へ送るアダプター本体８に、排気口から排出される空気の一部を室内に供給する供給口14を設けるとともに、供給口14から室内に供給する空気の量を調整するための調整板９を回動自在に設けた構成となっている。
【００３７】
そのため、上記構成の空調アダプター１では、コンプレッサー３を冷却することによって加温された空気を室内に供給することができ、室内温度の調整や換気のために有効利用することができ、室内に設けられた空調機器の負荷を軽減することができるので、工場等で消費される電力を低減することができる。
【００３８】
また、上記空調アダプター１は、調整板９を室内の温度に応じて回動させるための回動機構10を設けた構成となっている。
【００３９】
そのため、上記構成の空調アダプター１では、工場等の室内の温度環境を良好な状態に保持することができる。
【００４０】
また、上記空調アダプター１は、調整板９の排気口と面する側にフィルター18を着脱自在に設けた構成となっている。
【００４１】
そのため、上記構成の空調アダプター１では、室内に供給される空気をフィルター18で浄化することができ、室内の環境を良好な状態に保持することができる。
【符号の説明】
【００４２】
１  空調アダプター                    ２  建屋
３  コンプレッサー                    ４  吸気ダクト
５  排気ダクト                        ６  天井
７  側壁                              ８  アダプター本体
９  調整板                            10  回動機構
11  制御器                            12  吸入開口
13  排出開口                          14  供給口
15,16  フランジ                       17  蝶番
18  フィルター                        19  保持具
20  連通開口                          21  シリンダー
22  進退ロッド                        23  ワイヤー
24  貫通孔                            25  プーリー
26  温度センサー                      27  温度センサー
【図１】
2020133420.tif 000003
【図２】
2020133420.tif 000004
【図３】
2020133420.tif 000005
【図４】
2020133420.tif 000006